(57)【特許請求の範囲】
【請求項１】
目地部を介して設けられた左右のパラぺット間を該左右のパラペットが伸縮、前後方向に揺れ動いても、その揺れ動きを吸収することができる壁用目地装置が設けられた部位の、一方の目地部側のパラペットの上部に、上部が該パラペットの上部へ突出する取付部が固定され、該取付部の上部よりほぼ水平方向に突出する支持部の先端部が他方の目地部側のパラペット上に位置する支持バーと、この支持バーの支持部に固定された前記壁用目地装置の上部を覆う固定受皿と、前記一方の目地部側のパラペットの上部を覆うように固定された支持体と、この支持体の目地部側の外側部に先端部が水平方向に回動するように後端部が枢支された、前記固定受皿の上部および前記壁用目地装置の上部の外側部を覆う可動受皿と、この可動受皿の先端部を常時他方のパラペットの外壁面へ付勢する外側付勢機構と、前記支持体の目地部側の内側部に先端部が水平方向に回動するように後端部が枢支された、前記可動受皿の上部および前記目地部の内側部を覆う可動カバーと、この可動カバーの先端部を常時他方のパラペットの内壁面へ付勢する内側付勢機構とを備えることを特徴とする目地用笠木装置。
【請求項２】
目地部を介して設けられた左右のパラぺット間を、該左右のパラペットが伸縮、前後方向に揺れ動いても、その揺れ動きを吸収することができる内側・外側壁用目地装置が設けられた部位の一方の目地部側のパラペットの上部に、上部が該パラペットの上部へ突出する取付部が固定され、該取付部の上部よりほぼ水平方向に突出する支持部の先端部が他方の目地部側のパラペット上に位置する支持バーと、この支持バーの支持部に固定された前記内側・外側壁用目地装置の上部を覆う両側部に溝が形成された固定受皿と、前記一方の目地部側のパラペットの上部を覆うように固定された箱状の支持体と、この支持体の目地部側の外側部に先端部が水平方向に回動するように後端部が枢支された、前記固定受皿の上部および前記外側壁用目地装置の上部の外側部を覆う上部が浅皿状の可動受皿と、この可動受皿の先端部を常時他方のパラペットの外壁面へ付勢する外側付勢機構と、前記支持体の目地部側の内側部に先端部が水平方向に回動するように後端部が枢支された、前記可動受皿の上部および前記内側壁用目地装置の上部の内側部を覆う可動カバーと、この可動カバーの先端部を常時他方のパラペットの内壁面へ付勢する内側付勢機構とを備えることを特徴とする目地用笠木装置。
【発明の詳細な説明】
【０００１】
【発明の属する技術分野】
本発明は目地部を介して設けられた左右の建物のパラペット間を覆う壁用目地装置の上部を覆う目地用笠木装置に関する。
【０００２】
【従来の技術】
従来、左右のパラペット間に壁用目地装置を設置した場合、一端部を一方のパラペットの上部に固定し、他端部を他方のパラペットの上部にスライド移動可能に取付けた目地用笠木装置を用いている。
【０００３】
【発明の解決しようとする課題】
従来の目地用笠木装置は左右の建物が地震等によって異なる左右方向の揺れ動きには、目地用笠木装置の他端部が他方のパラペットの上部をスライド移動してその揺れ動きを吸収することができるが、左右の建物が異なる前後方向に揺れ動いた場合には、その揺れ動きを吸収できず損傷してしまうという欠点があった。
【０００４】
本発明は以上のような従来の欠点に鑑み、左右の建物が異なる前後左右方向に地震等によって揺れ動いても、その揺れ動きを吸収することができ、揺れ動きが停止すると自動的に元の状態に戻るとともに、壁用目地装置の上部を該壁用目地装置の動作をじゃますることなく、きれいに覆うことができる目地用笠木装置を提供することを目的としている。
【０００５】
本発明の前記ならびにそのほかの目的と新規な特徴は次に説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明は目地部を介して設けられた左右のパラぺット間を該左右のパラペットが伸縮、前後方向に揺れ動いても、その揺れ動きを吸収することができる壁用目地装置が設けられた部位の、一方の目地部側のパラペットの上部に、上部が該パラペットの上部へ突出する取付部が固定され、該取付部の上部よりほぼ水平方向に突出する支持部の先端部が他方の目地部側のパラペット上に位置する支持バーと、この支持バーの支持部に固定された前記壁用目地装置の上部を覆う固定受皿と、前記一方の目地部側のパラペットの上部を覆うように固定された支持体と、この支持体の目地部側の外側部に先端部が水平方向に回動するように後端部が枢支された、前記固定受皿の上部および前記壁用目地装置の上部の外側部を覆う可動受皿と、この可動受皿の先端部を常時他方のパラペットの外壁面へ付勢する外側付勢機構と、前記支持体の目地部側の内側部に先端部が水平方向に回動するように後端部が枢支された、前記可動受皿の上部および前記目地部の内側部を覆う可動カバーと、この可動カバーの先端部を常時他方のパラペットの内壁面へ付勢する内側付勢機構とで目地用笠木装置を構成している。
【０００７】
【発明の実施の形態】
以下、図面に示す実施の形態により、本発明を詳細に説明する。
【０００８】
図１ないし図１２に示す本発明の第１の実施の形態において、１は目地部２を介して設けられた左右の建物３、３のパラペット４、４間を、該左右のパラペット４、４が伸縮、前後方向に揺れ動いてもその揺れ動きを吸収することができる内側・外側壁用目地装置５、６の上部を覆う本発明の目地用笠木装置で、この目地用笠木装置１は前記一方の目地部側のパラペット４の上部に、上部が該パラペット４の上部へ突出するように複数本のビス７等によって固定される取付部８、この取付部８の上部よりほぼ水平方向に突出する支持部９の先端部が他方の目地部側の笠木装置１０が設けられたパラペット４上に位置するＬ字状の支持バー１１と、この支持バー１１の支持部９に複数本のビス１２等によって固定された、前記内側・外側壁用目地装置５、６の上部を覆う両側部に溝１３、１３が形成された固定受皿１４と、前記一方の目地部側の笠木装置１０が設けられたパラペット４の上部を隙間のない状態で覆うように、該パラペット４に複数本のビス７等によって固定された箱状の支持体１５と、この支持体１５の目地部側の外側部に先端部が水平方向に回動するように後端部が枢支ピン１６で枢支された、前記固定受皿１４の上部および前記外側壁用目地装置６の上部の外側部を覆う、上部が浅皿状の可動受皿１７と、この可動受皿１７の先端部を常時他方のパラペット４の外壁面４ａへ付勢する外側付勢機構１８と、前記支持体１５の目地部側の内側部に先端部が水平方向に回動するように後端部が枢支ピン１９で枢支された、前記可動受皿１７の上部および前記内側壁用目地装置５の上部の内側部を覆う可動カバー２０と、この可動カバー２０の先端部を常時他方のパラペット４の内壁面４ｂへ付勢する内側付勢機構２１とで構成されている。
【０００９】
前記支持バー１１は図５に示すように、前記一方のパラペット４の目地部側端部の両側部に隙間が生じるような寸法の金属材でＬ字状に形成されたものが使用される。
【００１０】
前記固定受皿１４は図６に示すように、前記支持バー１１の支持部９の長さ寸法とほぼ同じ長さ寸法で、前記パラペット４の上部に設けられた笠木装置１０の厚さ寸法（Ｈ）とほぼ同じ幅寸法になるように金属板で形成されたもので、両側部には溝１３、１３が形成されている。
【００１１】
前記支持体１５は図７に示すように四角筒状に形成された支持体本体２２と、この支持体本体２２の反目地部側の側面２２ａ中央部に形成された一方のパラペット４および笠木装置１０が収納される切欠部２３と、前記支持体本体２２の目地部側の一方のパラペット４に複数本のビス７で固定される側面２２ｂ中央部に形成された前記支持バー１１の取付部８が挿入される挿入凹部２４と、この挿入凹部２４の両側部に取付けられた枢支ピン１６、１９を有するヒンジ部材２５、２６とで構成されている。
【００１２】
前記可動受皿１７は図８に示すように、前記固定受皿１４の上部を覆う浅皿状の固定受皿本体２７と、この固定受皿本体２７の一側壁２７ａと一体に下方へ突出するように形成された後端部の内側面に前記ヒンジ部材２５が取付けられ、先端部寄りの内側面に係止金具２８が取付けられる外側カバー２９と、この外側カバー２９の先端部および前記固定受皿本体２７の先端部に形成された他方のパラペット４の笠木装置１０との間を覆う側面カバー３０とで構成されている。
【００１３】
前記外側付勢機構１８は前記可動受皿１７の外側カバー２９に取付けられた係止金具２８と、前記支持バー１１の支持部９の先端部寄りの外側側面に取付けられた係止金具３１とに取付けられたコイルスプリング３２で構成されている。
【００１４】
前記可動カバー２０は図９に示すように、前記可動受皿１７の上部を覆う浅皿状の可動カバー本体３３と、この可動カバー本体３３の一側壁３３ａと一体に下方へ突出するように形成された後端部の内側面に前記ヒンジ部材２６が取付けられ、先端部寄りの内側面に係止金具３４が取付けられる内側カバー３５と、この内側カバー３５の先端部に形成された側面カバー３６とで構成されている。
【００１５】
前記内側付勢機構２１は前記可動カバー２０の内側カバー３５に取付けられた係止金具３４と、前記支持バー１１の支持部９の先端部寄りの内側側面に取付けられた係止金具３７とに両端部が係止されたコイルスプリング３８で構成されている。
【００１６】
上記構成の目地用笠木装置１は地震等によって目地部が伸縮するように揺れ動いた場合には、図１０に示すように一方のパラペット４に取付けられている支持バー１１、固定受皿１４、可動受皿１７および可動カバー２０が重なり合った状態で他方のパラペット４上をスライド移動して、その揺れ動きを吸収する。
【００１７】
左右のパラペット４、４が異なる前後方向に揺れ動いた場合には、図１１に示すように可動受皿１７が外側付勢機構１８の付勢力に抗して先端部が外方へ回動して、その揺れ動きを吸収し、揺れ動きが停止すると外側付勢機構１８の付勢力によって、自動的に元の状態に戻る。
また、図１２に示すように可動カバー２０が内側付勢機構２１の付勢力に抗して先端部が内方へ回動して、その揺れ動きを吸収し、揺れ動きが停止すると内側付勢機構２１の付勢力によって、自動的に元の状態に戻る。
【００１８】
【発明の異なる実施の形態】
次に、図１３ないし図１８に示す本発明の異なる実施の形態につき説明する。なお、これらの本発明の異なる実施の形態の説明に当って、前記本発明の第１の実施の形態と同一構成部分には同一符号を付して重複する説明を省略する。
【００１９】
図１３ないし図１５に示す本発明の第２の実施の形態において、前記本発明の第１の実施の形態と主に異なる点は、固定受皿状に支持部９Ａを形成した支持バー１１Ａを用いた点で、このように形成された支持バー１１Ａを用いて構成した目地用笠木装置１Ａにしても、前記本発明の第１の実施の形態と同様な作用効果が得られる。
【００２０】
図１６ないし図１８に示す本発明の第３の実施の形態において、前記本発明の第１の実施の形態と主に異なる点は、板状の支持体１５Ａを用いた点で、このように形成された支持体１５Ａを用いて構成した目地用笠木装置１Ｂにしても、前記本発明の第１の実施の形態と同様な作用効果が得られる。
【００２１】
【発明の効果】
以上の説明から明らかなように、本発明にあっては次に列挙する効果が得られる。
【００２２】
（１）目地部を介して設けられた左右のパラぺット間を該左右のパラペットが伸縮、前後方向に揺れ動いても、その揺れ動きを吸収することができる壁用目地装置が設けられた部位の、一方の目地部側のパラペットの上部に、上部が該パラペットの上部へ突出する取付部が固定され、該取付部の上部よりほぼ水平方向に突出する支持部の先端部が他方の目地部側のパラペット上に位置する支持バーと、この支持バーの支持部に固定された前記壁用目地装置の上部を覆う固定受皿と、前記一方の目地部側のパラペットの上部を覆うように固定された支持体と、この支持体の目地部側の外側部に先端部が水平方向に回動するように後端部が枢支された、前記固定受皿の上部および前記壁用目地装置の上部の外側部を覆う可動受皿と、この可動受皿の先端部を常時他方のパラペットの外壁面へ付勢する外側付勢機構と、前記支持体の目地部側の内側部に先端部が水平方向に回動するように後端部が枢支された、前記可動受皿の上部および前記目地部の内側部を覆う可動カバーと、この可動カバーの先端部を常時他方のパラペットの内壁面へ付勢する内側付勢機構とで構成されているので、目地部が伸縮するように左右のパラペットが地震等によって揺れ動いた場合には、一方のパラペットに固定された支持バー、固定受皿、可動受皿、可動カバーが他方のパラペット上をスライド移動して、その揺れ動きを吸収することができる。
【００２３】
（２）前記（１）によって、地震等によって異なる前後方向に左右のパラペットが揺れ動いた場合には、可動受皿や可動カバーの先端部が外方や内方へ回動してその揺れ動きを吸収するとともに、揺れ動きが停止すると自動的に元の状態に戻すことができる。
【００２４】
（３）前記（１）によって、固定受皿、可動受皿、可動カバーによって、目地部を覆う壁用目地装置の上部をきれいに覆うことができる。
【００２５】
（４）請求項２も前記（１）〜（３）と同様な効果が得られる。
【図面の簡単な説明】
【図１】本発明の第１の実施の形態の正面図。
【図２】本発明の第１の実施の形態の平面図。
【図３】本発明の第１の実施の形態の背面図。
【図４】図２の４−４線に沿う断面図。
【図５】本発明の第１の実施の形態の支持バーの説明図。
【図６】本発明の第１の実施の形態の固定受皿の説明図。
【図７】本発明の第１の実施の形態の支持体の説明図。
【図８】本発明の第１の実施の形態の可動受皿の説明図。
【図９】本発明の第１の実施の形態の可動カバーの説明図。
【図１０】本発明の第１の実施の形態の伸縮状態の動作説明図。
【図１１】本発明の第１の実施の形態の可動受皿の動作説明図。
【図１２】本発明の第１の実施の形態の可動カバーの動作説明図。
【図１３】本発明の第２の実施の形態の正面図。
【図１４】本発明の第２の実施の形態の平面図。
【図１５】本発明の第２の実施の形態の支持バーの説明図。
【図１６】本発明の第３の実施の形態の正面図。
【図１７】本発明の第３の実施の形態の平面図。
【図１８】本発明の第３の実施の形態の支持体の説明図。
【符号の説明】
１、１Ａ、１Ｂ：目地用笠木装置、
２：目地部、            ３：建物、
４：パラペット、        ５：内側壁用目地装置、
６：外側壁用目地装置、  ７：ビス、
８：取付部、            ９、９Ａ：支持部、
１０：笠木装置、        １１、１１Ａ：支持バー、
１２：ビス、            １３：溝、
１４：固定受皿、        １５、１５Ａ：支持体、
１６：枢支ピン、        １７：可動受皿、
１８：外側付勢機構、    １９：枢支ピン、
２０：可動カバー、      ２１：内側付勢機構、
２２：支持体本体、      ２３：切欠部、
２４：挿入凹部、        ２５、２６：ヒンジ部材、
２７：固定受皿本体、    ２８：係止金具、
２９：外側カバー、      ３０：側面カバー、
３１：係止金具、        ３２：コイルスプリング、
３３：可動カバー本体、  ３４：係止金具、
３５：内側カバー、      ３６：側面カバー、
３７：係止金具、        ３８：コイルスプリング。
【図１】
0003676701.tif 000002
【図２】
0003676701.tif 000003
【図３】
0003676701.tif 000004
【図４】
0003676701.tif 000005
【図５】
0003676701.tif 000006
【図６】
0003676701.tif 000007
【図７】
0003676701.tif 000008
【図８】
0003676701.tif 000009
【図９】
0003676701.tif 000010
【図１０】
0003676701.tif 000011
【図１１】
0003676701.tif 000012
【図１２】
0003676701.tif 000013
【図１３】
0003676701.tif 000014
【図１４】
0003676701.tif 000015
【図１５】
0003676701.tif 000016
【図１６】
0003676701.tif 000017
【図１７】
0003676701.tif 000018
【図１８】
0003676701.tif 000019